(57)【要約】【課題】現像ローラとスクイズローラの感光ドラムへの接触圧の調整を個々に容易にできると共に、この接離機構を少ないスペースで、かつ簡単にできるようにする。【解決手段】現像ローラ２とスクイズローラ３とを感光ドラム４に対して接離可能に配置してなる電子写真印刷機の現像装置において、現像ローラを支持する現像ボックス５とスクイズローラを支持するスクイズボックス６とを、同一の支軸７に回動自在に支持し、現像ボックスとスクイズボックスのそれぞれに、これらを個々に回動するエアシリンダ９，１０を連結した。また、回転支軸の軸方向一側部において現像ローラ駆動機構を介して現像ローラに連結し、軸方向他部においてスクイズローラ駆動機構１３を介してスクイズローラに連結した。【選択図】　　　　図１
2004109340.tif 000002
【特許請求の範囲】
【請求項１】
現像ローラとスクイズローラとを感光ドラムに対して接離可能に配置してなる電子写真印刷機の現像装置において、
現像ローラを支持する現像ボックスとスクイズローラを支持するスクイズボックスとを、同一の支軸に回動自在に支持し、現像ボックスとスクイズボックスのそれぞれに、これらを個々に回動するエアシリンダを連結した
ことを特徴とする電子写真印刷機の現像装置。
【請求項２】
請求項１記載の電子写真印刷機の現像装置において、
現像ボックスとスクイズボックスを支持する支軸を回転駆動装置に連結した回転支軸とし、
この回転支軸の軸方向一側部において現像ローラ駆動機構を介して現像ローラに連結し、軸方向他部においてスクイズローラ駆動機構を介してスクイズローラに連結した
ことを特徴とする電子写真印刷機の現像装置。
【発明の詳細な説明】
【０００１】
【発明の属する技術分野】
本発明は、電子写真印刷機の現像装置で、詳しくは、感光ドラムに対して接離可能にした現像ローラとスクイズローラとを有する現像装置に関するものである。
【０００２】
【従来の技術】
従来のこの種の現像装置は特開平１１−２８８１７３号公報に示されたものがある。この従来の現像装置にあっては、現像ローラを支持する現像ローラ取付板と、スクイズローラを支持するスクイズローラ取付板のそれぞれが別々の支軸に、あるいは同一の支軸に回動自在に支持され、個々のばねで、あるいは共通のばねにてそれぞれのローラが感光ドラム側へ接触方向にばね付勢された構成になっている。また上記各取付板には、アームを介して偏心カム軸が連結してあり、この各偏心カム軸を回動することにより各アームを介して各取付板を各ローラが感光ドラムより離間する方向に回動するようになっている。
【０００３】
【発明が解決しようとする課題】
上記従来の構成では、各ローラの感光ドラムへの付勢はばねにて行っていることにより、液体トナーの塗布状況にあわせて感光ドラム表面に対するローラ接触圧の微調整や、接触圧の管理は困難であった。また上記したように、各ローラの感光ドラム表面に対する接触と離間を行う機構が別々であることにより、これらの構成が複雑になると共に、部品点数が多くなり、さらにスペース面でも不利であった。
【０００４】
本発明は上記のことに鑑みなされたもので、現像ローラとスクイズローラの感光ドラムへの接触圧力の調整を個々に容易に行うことができ、また、それぞれのローラの感光ドラムへの接離をそれぞれ１つの機構にて行うようにして、この接離機構を少ないスペースで、かつ簡単にすることができ、さらに、各ローラの回転駆動機構をコンパクトにすることができるようにした現像装置を提供することを目的とするものである。
【０００５】
【課題を解決するための手段】
上記目的を達成するために、本発明に係る電子写真印刷機における現像装置は、現像ローラとスクイズローラとを感光ドラムに対して接離可能に配置してなる電子写真印刷機の現像装置において、現像ローラを支持する現像ボックスとスクイズローラを支持するスクイズボックスとを、同一の支軸に回動自在に支持し、現像ボックスとスクイズボックスのそれぞれに、これらを個々に回動するエアシリンダを連結した構成になっている。
【０００６】
また、上記電子写真印刷機の現像装置において、
現像ボックスとスクイズボックスを支持する支軸を回転駆動装置に連結した回転支軸とし、この回転支軸の軸方向一側部において現像ローラ駆動機構を介して現像ローラに連結し、軸方向他部においてスクイズローラ駆動機構を介してスクイズローラに連結した。
【０００７】
【作　用】
エアシリンダを個々に伸縮制御することにより現像ローラボックスとスクイズローラボックスが個々に回動されて現像ローラにスクイズローラが感光ドラムに対して個々に接離される。そしてこのときの各ローラの感光ドラムへの接触圧力は各エアシリンダへ供給するエア圧を制御することにより調整される。
【０００８】
また、現像ローラとスクイズローラは上記現像ローラボックスとスクイズローラボックスを回動自在に支持している回転支軸により、それぞれの駆動機構を介して回転駆動される。
【０００９】
【発明の実施の形態】
本発明の実施の形態を図面に基づいて説明する。
【００１０】
図中１は液体トナーを用いる電子写真印刷機に取付けた本発明に係る現像装置の一例を示すもので、この現像装置１は現像ローラ２とスクイズローラ３が感光ドラム４に接離可能に対設されている。現像ローラ２とスクイズローラ３はそれぞれ感光ドラム４側を開放した現像ボックス５、スクイズボックス６内に支持されており、この両ボックス５，６は、両者間に感光ドラム４と平行に設けた回転支軸７に軸受を介して回動自在に支持されている。なお、現像ローラ２には現像ボックス５内に支持されたトナー絞りローラ２ａが転接されている。
【００１１】
各ボックス５，６の下部にはアーム５ａ，６ａが突設されていて、各アーム５ａ，６ｂに、一端を機体８に回動自在に支持されたエアシリンダ９，１０の他端が回動自在に連結されていて、各エアシリンダ９，１０を伸縮動することにより、各ボックス５，６が支軸７を中心に回動し、これにより各ローラ２，３が感光ドラム４の表面に対して接離するようになっている。
【００１２】
各エアシリンダ９，１０にはいずれも図示しない公知の電磁切換弁及び減圧弁を介してエア圧源に接続されており、各ローラ２，３の感光ドラム４への接触圧は減圧弁を調節することにより任意に、かつ微細に調節することができる。
【００１３】
上記回転支軸７は機枠８に固着したブラケット１１ａ，１１ｂに回転自在に支持されており、これの一端に自在継手７ａを介して回転駆動装置（図示せず）が連結されていて、この回転支軸７は感光ドラム４と同期して回転されるようになっている。そしてこの回転支軸７が、現像ローラ駆動機構１２を介して現像ローラ２及びトナー絞りローラ２ａに、また、スクイズローラ駆動機構１３を介してスクイズローラ３にそれぞれ連結されている。この両駆動機構１２，１３は各ボックス５，６の外側で、かつ支軸７の軸方向両側に振り分けて、すなわち、現像ローラ駆動機構１２は支軸７の基端側に、またスクイズローラ駆動機構１３は支軸７の先端側に配置されている。
【００１４】
そして上記現像ローラ駆動機構１２は、回転支軸７に固着された駆動歯車１４、この駆動歯車１４に噛合する中間歯車１５、この中間歯車１５に噛合する現像ローラ２及びトナー絞りローラ２ａのそれぞれに固着された従動歯車１６ａ，１６ｂからなり、回転支軸７の回転により、中間歯車１５を介して両従動歯車１６ａ，１６ｂが回転されて現像ローラ２が感光ドラム４との対向部において、これと同一周方向に、かつ感光ドラム４より周速を速めて回転し、またトナー絞りローラ２ａが現像ローラ２との対向部において、これと逆方向に、回転するようになっている。
【００１５】
また、スクイズローラ駆動機構１３は、回転支軸７に固着された駆動歯車１７、この駆動歯車１７に噛合する第１中間歯車１８ａ、第１中間歯車１８ａと同軸一体状にした第２中間歯車１８ｂ、この第２中間歯車１８ｂに噛合する第３中間歯車１９ａ、この第３中間歯車１９ａと同軸一体状にした第４中間歯車１９ｂ、この第４中間歯車１９ｂに噛合するスクイズローラ３に固着された従動歯車２０からなり、回転支軸７の回転により、各中間歯車１８ａ，１８ｂ，１９ａ，１９ｂを介してスクイズローラ３が感光ドラム４との対向部において、これと逆方向に、かつ余剰トナーの掻き落としに適した周速で回転するようになっている。上記した各中間歯車は各ボックスに支持されている。
【００１６】
上記構成において、現像ボックス５とスクイズボックス６はこれのそれぞれに連結したエアシリンダ９，１０を伸縮動作することにより、回転支軸７を中心にして回動される。そして、これによりこれらに内装された現像ローラ２、スクイズローラ３が、個々に感光ドラム４の表面に対して接離される。そしてこのときの各ローラ２，３の感光ドラム４側の接触圧力は各エアシリンダ９，１０へ供給されるエア圧を減圧弁にて調節することにより調節される。
【００１７】
また、回転支軸７が回転されることにより、現像ローラ駆動機構１２を介して現像ローラ２及びトナー絞りローラ２ａが、またスクイズローラ３はスクイズローラ駆動機構１３を介してスクイズローラ３がそれぞれ感光ドラム４と同期して回転される。
【００１８】
【発明の効果】
本発明によれば、感光ドラムに対して接離する現像ローラとスクイズローラの感光ドラムへの接触圧力を、エアシリンダへの空気圧の調整により個々に容易に行うことができる。
【００１９】
また、それぞれのローラをそれぞれ１個ずつのエアシリンダにて上記のように接触圧力を調整可能に駆動できることにより、この接離機構を少ないスペースで、かつ簡単にすることができる。
【００２０】
さらに、各ローラを駆動する現像ローラ駆動機構とスクイズローラ駆動機構が、現像ローラボックスとスクイズローラボックスを回動自在に支持する回転支軸の軸方向両側部に振り分けて設けたことにより、両駆動機構が互いに干渉することなくコンパクトに組み込むことができる。
【図面の簡単な説明】
【図１】本発明の一実施の形態に係る現像装置の現像ローラボックスを回動するエアシリンダを現わす一部破断面図である。
【図２】本発明の一実施の形態に係る現像装置のスクイズローラボックスを回動するエアシリンダを現わす一部破断面図である。
【図３】スクイズローラボックスを回動するエアシリンダを現わす下面図である。
【図４】本発明の一実施の形態に係る現像装置を示す平面図である。
【図５】図４にて示した現像装置を左側から見た側面図である。
【図６】図４にて示した現像装置を右側から見た側面図である。
【符号の説明】
１…現像装置、２…現像ローラ、２ａ…トナー絞りローラ、３…スクイズローラ、４…感光ドラム、５…現像ローラボックス、５ａ，６ａ…アーム、６…スクイズローラボックス、７…回転支軸、７ａ…自在継手、８…機体、９，１０…エアシリンダ、１１ａ，１１ｂ…ブラケット、１２…現像ローラ駆動機構、１３…スクイズローラ駆動機構、１４，１７…駆動歯車、１５，１８ａ，１８ｂ，１９ａ，１９ｂ…中間歯車、１６ａ，１６ｂ，２０…従動歯車。
【図１】
2004109340.tif 000003
【図２】
2004109340.tif 000004
【図３】
2004109340.tif 000005
【図４】
2004109340.tif 000006
【図５】
2004109340.tif 000007
【図６】
2004109340.tif 000008